(57)【要約】【課題】無線デバイスがより低い消費電力で無線送信を行うことが可能な送信装置、受信装置および情報処理方法を提供する。【解決手段】送信装置から受信装置への送信信号を無線通信により送信する通信部と、前記受信装置が前記送信信号に用いられた拡散コードの推定結果に基づいて前記送信装置の識別情報を取得することを可能にするために、送信情報を前記識別情報に応じて選択した前記拡散コードを用いて拡散した前記送信信号を生成する信号処理部と、を備える送信装置。【選択図】図５
2015129375.tif 000002
【特許請求の範囲】
【請求項１】
送信装置から受信装置への送信信号を無線通信により送信する通信部と、
前記受信装置が前記送信信号に用いられた拡散コードの推定結果に基づいて前記送信装置の識別情報を取得することを可能にするために、送信情報を前記識別情報に応じて選択した前記拡散コードを用いて拡散した前記送信信号を生成する信号処理部と、
を備える送信装置。
【請求項２】
前記信号処理部は、前記識別情報および前記送信情報を分割し、分割後の複数の前記送信情報を、分割後の複数の前記識別情報ごとに選択した前記拡散コードをそれぞれ用いて拡散して連結する、請求項１に記載の送信装置。
【請求項３】
前記信号処理部は、複数の拡散コードのうち一の前記拡散コードを用いて拡散された前記送信信号を、前記複数の拡散コードのうち他の前記拡散コードを用いてさらに拡散する、請求項２に記載の送信装置。
【請求項４】
前記信号処理部は、前記送信情報の要素の数を前記識別情報の分割数とし、前記要素ごとに前記拡散コードを用いて拡散する、請求項２に記載の送信装置。
【請求項５】
前記信号処理部は、分割後の長さが均等になるよう前記識別情報を分割する、請求項２に記載の送信装置。
【請求項６】
前記送信情報は、前記送信装置ごとに固定のパターンを含み、
前記信号処理部は、前記受信装置が前記パターンの推定結果に基づいて前記識別情報を取得することを可能にするために、前記識別情報に応じて前記パターンを選択する、請求項１に記載の送信装置。
【請求項７】
前記パターンは、ＳＦＤ（Sync  Frame  Detect）フィールドに格納される、請求項６に記載の送信装置。
【請求項８】
前記信号処理部は、前記拡散コードとして、Ｇｏｌｄ符号、Ｗａｌｓｈ符号、ＰＮ符号の少なくともいずれかを用いる、請求項１に記載の送信装置。
【請求項９】
送信装置から送信された信号を無線通信により受信する通信部と、
前記通信部により受信された受信信号に用いられた拡散コードの推定結果に基づいて前記送信装置の識別情報を取得する信号処理部と、
を備える受信装置。
【請求項１０】
前記信号処理部は、前記受信信号に用いられた複数の前記拡散コードを推定し、推定した前記拡散コードに対応する系列を合成することにより前記識別情報を取得する、請求項９に記載の受信装置。
【請求項１１】
前記信号処理部は、前記受信信号に用いられた前記送信装置ごとに固定のパターンの推定結果に基づいて前記識別情報を取得する、請求項１０に記載の受信装置。
【請求項１２】
前記信号処理部は、前記拡散コードの候補のうち最も前記受信信号との相関が最も高い前記候補を、前記受信信号に用いられた前記拡散コードとして推定する、請求項９に記載の受信装置。
【請求項１３】
送信装置から受信装置への送信信号を無線通信により送信することと、
前記受信装置が前記送信信号に用いられた拡散コードの推定結果に基づいて前記送信装置の識別情報を取得することを可能にするために、送信情報を前記識別情報に応じて選択した前記拡散コードを用いて拡散した前記送信信号を電子回路により生成することと、
を含む情報処理方法。
【請求項１４】
送信装置から送信された信号を無線通信により受信することと、
受信された受信信号に用いられた拡散コードの推定結果に基づいて前記送信装置の識別情報を電子回路により取得することと、
を含む情報処理方法。
【発明の詳細な説明】
【技術分野】
【０００１】
本開示は、送信装置、受信装置および情報処理方法に関する。
【背景技術】
【０００２】
位置センサおよび温度センサ等のセンサデバイスと無線デバイスとを組み合わせた無線センサ端末を無線ネットワークで接続することにより、人の行動情報および周辺の環境情報等を収集する無線センサネットワークの普及が見込まれる。無線センサ端末は、様々な場所に多数配置されることが想定されることから、小型化、低消費電力化による長期間の電池での動作、無線による長距離伝送が可能であることが求められる。このため、これらの要求を満たすための技術の開発が求められている。【０００３】
例えば、下記特許文献１では、移動局が、移動局ごとに割り当てられたパイロットパターンを付加した送信情報を、拡散符号を用いてスペクトラム拡散して送信し、無線基地局がパイロットパターンに応じてパスを検出しレイク合成する技術が開示されている。
【先行技術文献】
【特許文献】
【０００４】
【特許文献１】特開平１１−２５２０４４号公報
【発明の概要】
【発明が解決しようとする課題】
【０００５】
しかし、上記特許文献１に開示された技術では、受信側である無線基地局の構成が簡略化されるものの、送信側である無線デバイスについては上記要求が満たされたとは言い難い。そこで、本開示では、無線デバイスがより低い消費電力で無線送信を行うことが可能な、新規かつ改良された送信装置、受信装置および情報処理方法を提案する。
【課題を解決するための手段】
【０００６】
本開示によれば、送信装置から受信装置への送信信号を無線通信により送信する通信部と、前記受信装置が前記送信信号に用いられた拡散コードの推定結果に基づいて前記送信装置の識別情報を取得することを可能にするために、送信情報を前記識別情報に応じて選択した前記拡散コードを用いて拡散した前記送信信号を生成する信号処理部と、を備える送信装置が提供される。【０００７】
また、本開示によれば、送信装置から送信された信号を無線通信により受信する通信部と、前記通信部により受信された受信信号に用いられた拡散コードの推定結果に基づいて前記送信装置の識別情報を取得する信号処理部と、を備える受信装置が提供される。【０００８】
また、本開示によれば、送信装置から受信装置への送信信号を無線通信により送信することと、前記受信装置が前記送信信号に用いられた拡散コードの推定結果に基づいて前記送信装置の識別情報を取得することを可能にするために、送信情報を前記識別情報に応じて選択した前記拡散コードを用いて拡散した前記送信信号を電子回路により生成することと、を含む情報処理方法が提供される。【０００９】
また、本開示によれば、送信装置から送信された信号を無線通信により受信することと、受信された受信信号に用いられた拡散コードの推定結果に基づいて前記送信装置の識別情報を電子回路により取得することと、を含む情報処理方法が提供される。
【発明の効果】
【００１０】
以上説明したように本開示によれば、無線デバイスがより低い消費電力で無線送信を行うことが可能である。
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の一実施形態に係る無線通信システムの基本構成を示すブロック図である。
【図２】比較例に係る無線フレームの構成例を示す図である。
【図３】本実施形態に係る無線フレームの構成例を示す図である。
【図４】比較例に係る信号処理部の内部構成を説明するための図である。
【図５】第１の実施形態に係る送信装置の信号処理部の内部構成を説明するための図である。
【図６】第１の実施形態に係る送信装置において実行される信号処理の流れの一例を示すフローチャートである。
【図７】第１の実施形態に係る受信装置の信号処理部の内部構成を説明するための図である。
【図８】第１の実施形態に係る受信装置のＰｒｅａｍｂｌｅ受信部の内部構成を説明するための図である。
【図９】第１の実施形態に係る逆拡散器の内部構成を説明するための図である。
【図１０】第１の実施形態に係る受信装置のＳＦＤ受信部の内部構成を説明するための図である。
【図１１】第１の実施形態に係る受信装置のセンサ情報受信部の内部構成を説明するための図である。
【図１２】第１の実施形態に係る受信装置において実行される信号処理の流れの一例を示すフローチャートである。
【図１３】第２の実施形態に係る送信装置の信号処理部の内部構成を説明するための図である。
【図１４】第２の実施形態に係る受信装置のＳＦＤ受信部の内部構成を説明するための図である。
【発明を実施するための形態】
【００１２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１３】
なお、説明は以下の順序で行うものとする。
１．概要
２．比較例に係る送信装置
２−１．信号処理部の内部構成
２−２．端末ＩＤ削除の効果
３．第１の実施形態
３−１．送信装置
３−１−１．信号処理部の内部構成
３−１−２．動作処理
３−２．受信装置
３−２−１．信号処理部の内部構成
３−２−２．動作処理
４．第２の実施形態
４−１．送信装置
４−２．受信装置
５．まとめ
【００１４】
＜１．概要＞
まず、図１〜図３を参照して、本開示の一実施形態に係る無線通信システムの概要を説明する。
【００１５】
図１は、本開示の一実施形態に係る無線通信システムの基本構成を示すブロック図である。図１に示すように、本実施形態に係る無線通信システムは、送信装置１および受信装置２を有する。また、送信装置１は、通信部１１および信号処理部１２を有し、受信装置２は、通信部２１および信号処理部２２を有する。なお、図１では、送信装置１および受信装置２が１対１である例を示しているが、１対多、多対１、又は多対多であってもよい。
【００１６】
通信部１１は、送信装置１から受信装置２への送信信号を無線通信により送信する機能を有する。通信部１１は、例えば無線ＬＡＮ（Local  Area  Network）、Ｗｉ−Ｆｉ（Wireless  Fidelity、登録商標）、赤外線通信、Ｂｌｕｅｔｏｏｔｈ（登録商標）等の方式で、受信装置２と直接、またはネットワークアクセスポイントを介して無線通信する。通信部１１は、例えばアナログ送信回路を有していてもよい。
【００１７】
信号処理部１２は、外部機器に送信すべき送信情報（無線フレーム）に各種信号処理を行って、送信信号を生成する機能を有する。信号処理部１２は、例えばＣＰＵ（Central  Processing  Unit）、マイクロプロセッサ等の電子回路によって実現される。なお、信号処理部１２は、使用するプログラムや演算パラメータ等を記憶するＲＯＭ（Read  Only  Memory）、および適宜変化するパラメータ等を一時記憶するＲＡＭ（Random  Access  Memory）を含んでいてもよい。送信装置１は、例えばセンサデバイスに接続され、センシング結果を示すセンサ情報を信号処理部１２により信号処理し、通信部１１により受信装置２に送信する。
【００１８】
通信部２１は、送信装置１から送信された送信信号を無線通信により受信する機能を有する。通信部２１は、例えば無線ＬＡＮ、Ｗｉ−Ｆｉ、赤外線通信、Ｂｌｕｅｔｏｏｔｈ（登録商標）等の方式で、送信装置１と直接、またはネットワークアクセスポイントを介して無線通信する。通信部２１は、例えばアナログ受信回路を有していてもよい。
【００１９】
信号処理部２２は、通信部２１により受信された受信信号に各種信号処理を行って、受信信号に格納された情報を取得する機能を有する。信号処理部２２は、例えばＣＰＵ、マイクロプロセッサ等の電子回路によって実現される。なお、信号処理部２２は、使用するプログラムや演算パラメータ等を記憶するＲＯＭ、および適宜変化するパラメータ等を一時記憶するＲＡＭを含んでいてもよい。受信装置２は、例えば送信装置１から送信された信号を通信部２１により受信し、信号に格納されたセンサ情報を信号処理部２２により抽出する。
【００２０】
以上、本実施形態に係る無線通信システムの基本構成を説明した。続いて、図２を参照して、一般的な無線フレームの構成を比較例として説明する。
【００２１】
図２は、比較例に係る無線フレームの構成例を示す図である。図２に示すように、比較例に係る無線フレームは、役割ごとに複数のフィールドに分かれている。例えば、Ｐｒｅａｍｂｌｅのフィールドは、無線フレームの検出や周波数同期などに使われる固定のパターンが格納されるフィールドである。Ｐｒｅａｍｂｌｅが既知のパターンである場合、受信装置２は、周波数のずれを検知することが可能となり、周波数同期を行うことが可能となる。また、ＳＦＤ（Sync  Frame  Detect）のフィールドは、無線フレームの境界を示す固定のパターンが格納されるフィールドである。受信装置２は、ＳＦＤのパターンを検知することで、フィールドの境界を識別することが可能となる。また、端末ＩＤ（identifier）のフィールドは、送信装置１を識別するための識別情報である端末ＩＤが格納されるフィールドである。また、センサ情報のフィールドは、センサデバイスによるセンシング結果を示すセンサ情報が格納されるフィールドである。
【００２２】
ここで、送信信号を送信する時間が短い程、送信に必要な電力が低くなり、より低い消費電力で無線送信を行うことが可能となる。そこで、本実施形態に係る送信装置１は、図３に示すように、端末ＩＤを省略した無線フレームを用いる。
【００２３】
図３は、本実施形態に係る無線フレームの構成例を示す図である。図３に示すように、本実施形態に係る無線フレームは、図２に示した比較例に係る無線フレームから端末ＩＤが省略されている。送信装置１は、比較例と比較して、端末ＩＤを省略した分だけ送信信号を送信する時間が短くなるため、より低い消費電力で無線送信を行うことが可能となる。しかし、送信装置１が、無線センサ端末としての用を成すためには、センサから取得したセンサ情報に加えて、自身を識別するための端末ＩＤを送信する必要がある。これは、受信装置２側が、端末ＩＤに基づいて無線センサ端末の移動、センシングされた位置、およびセンサの設定等を把握して、センサ情報を分析することを可能にするためである。
【００２４】
そこで、本実施形態に係る送信装置１は、端末ＩＤに応じて選択した拡散コードを用いて拡散した送信信号を送信する。そして、受信装置２は、受信した受信信号に用いられた拡散コードを推定して、推定結果に基づいて送信装置１の端末ＩＤを取得する。送信装置１は、端末ＩＤを省略することによってより低い消費電力で無線送信を行うことが可能である。また、受信装置２は、端末ＩＤを推定可能であるため、送信装置１に無線センサ端末としての用を成さしめることが可能である。なお、本明細書では、拡散とは直接拡散を意味するものとする。
【００２５】
以上、本開示の一実施形態に係る無線通信システムの概要を説明した。続いて、図４を参照して、比較例に係る送信装置について説明する。
【００２６】
＜２．比較例に係る送信装置＞
［２−１．信号処理部の内部構成］
図４は、比較例に係る信号処理部の内部構成を説明するための図である。図４に示すように、比較例に係る信号処理部１２００は、センサ情報、端末ＩＤ、ＳＦＤ、Ｐｒｅａｍｂｌｅを入力として各種信号処理を行い、拡散コードにより拡散した送信信号を通信部１１のアナログ送信回路に出力する。
【００２７】
図４に示したＭＵＸ（multiplexer）１２０１、１２０２、１２０３は、入力された情報を時間順に並べて出力する回路である。例えば、ＭＵＸ１２０１は、センサ情報および端末ＩＤを入力として、端末ＩＤを先に出力し、続いてセンサ情報を出力する。また、ＭＵＸ１２０２は、誤り訂正回路１２１０から出力された情報を先に出力し、続いてＳＦＤを出力する。また、ＭＵＸ１２０３は、ＭＵＸ１２０２から出力された情報を先に出力し、続いてＰｒｅａｍｂｌｅを出力する。
【００２８】
図４に示すように、ＭＵＸ１２０１から出力されたセンサ情報と端末ＩＤは、誤り訂正回路１２１０に入力される。誤り訂正回路１２１０は、例えば畳み込み符号、ＬＤＰＣ（low-density  parity-check）符号等の誤り訂正符号を用いてデータを符号化する回路である。誤り訂正回路１２１０は、例えば冗長ビットを追加することで、エラー耐性を向上させる。この場合、誤り訂正回路１２１０を通過することにより、入力されたデータのビット長よりも出力されるデータのビット長の方が長くなる。この比率は、Ｃｏｄｉｎｇ  Ｒａｔｅとよばれ、Ｃｏｄｉｎｇ  Ｒａｔｅが１／２である場合、出力は入力の２倍の長さになる。
【００２９】
図４に示すように、誤り訂正回路１２１０から出力されたセンサ情報および端末ＩＤに、ＭＵＸ１２０２を介してＳＦＤが付加され、ＭＵＸ１２０３を介してＰｒｅａｍｂｌｅが付加されることにより、図２に示した無線フレームが形成される。
【００３０】
その後、デジタル変調部１２２０によりデジタル変調が行われる。デジタル変調部１２２０は、ＭＵＸ１２０３から出力されたバイナリの無線フレームを電気信号に変調する機能を有する。デジタル変調部１２２０は、例えばＢＰＳＫ（Binary  Phase  Shift  Keying）、ＱＰＳＫ（Quadrature  Phase  Shift  Keying）等の変調方式により変調を行う。
【００３１】
デジタル変調部１２２０により変調された信号は、繰り返し部１２３０により所定回数繰り返される。
【００３２】
その後、拡散部１２４０により信号の拡散が行われる。拡散部１２４０は、繰り返し部１２３０から出力された信号を、直接拡散する機能を有する。拡散部１２４０は、拡散コードとして、例えばＧｏｌｄ符号、疑似ランダムな系列等の拡散コードを用いてもよい。なお、拡散部１２４０から出力された信号は、アナログ送信回路に出力され、アナログ信号が通信部１１により受信装置２に送信される。
【００３３】
以上、比較例に係る信号処理部の内部構成を説明した。
【００３４】
［２−２．端末ＩＤ削除の効果］
本開示の一実施形態に係る送信装置１は、図３に一例として示した端末ＩＤを削除した無線フレームを用いて送信を行う。そこで、以下、端末ＩＤを無線フレームから削除した場合の、上記比較例と比較した効果を説明する。
【００３５】
図４を参照して上記説明したように、センサ情報および端末ＩＤは誤り訂正回路１２１０を通過するため、本来の情報量よりも無線送信される情報量が増加する。一例として、センサ情報が３２ビット、端末ＩＤが１６ビット、Ｃｏｄｉｎｇ  Ｒａｔｅが１／２、ＳＦＤが８ビット、Ｐｒｅａｍｂｌｅが１６ビットである場合の、本来の情報量と無線送信される情報量とを比較した表を、下記の表１に示す。
【００３６】
【表１】
2015129375.tif 000003
【００３７】
上記表１では、本来の情報量を送信情報量として示し、誤り訂正回路１２１０を通過した後の無線送信される情報量を無線伝送情報量として示し、無線伝送情報量のうち各フィールドが示す比率を合せて示している。上記表に示すように、端末ＩＤの伝送が無線伝送情報量の２７％を占めている。ここで、センサ情報はセンサの測定結果に応じて変化するものであるし、ＰｒｅａｍｂｌｅおよびＳＦＤは受信装置２側で同期をとるために必須の情報である。この点、端末ＩＤは、送信装置１に固有のものであり、送信する度に変化する情報ではない。よって、端末ＩＤを無線フレームから削除することができれば、送信時間を短くすることができ、低消費電力化を実現することが可能となる。
【００３８】
本開示の一実施形態に係る送信装置１による、端末ＩＤを無線フレームから削除した場合の効果を説明した。続いて、図５〜図１４を参照して、本開示の各実施形態について詳細に説明する。
【００３９】
＜３．第１の実施形態＞
［３−１．送信装置］
本実施形態に係る送信装置１の構成は、図１に示した通りである。以下では、図５を参照して、本実施形態に係る送信装置１の信号処理部１２の内部構成を説明する。
【００４０】
（３−１−１．信号処理部１２の内部構成）
図５は、本実施形態に係る送信装置１の信号処理部１２の内部構成を説明するための図である。図５に示すように、本実施形態に係る信号処理部１２は、センサ情報、端末ＩＤ、ＳＦＤ、Ｐｒｅａｍｂｌｅを入力として各種信号処理を行い、送信信号をアナログ送信回路に出力する。
【００４１】
信号処理部１２は、送信する情報を分割した上で各種信号処理を行う。例えば、図５に示すように、信号処理部１２は、送信する情報を、センサ情報、ＳＦＤ、Ｐｒｅａｍｂｌｅといった、図３に示した無線フレームを形成する各フィールドに格納される情報ごとに分割した上で、各種信号処理を行う。また、図５に示すように、信号処理部１２は、分配回路１２１により端末ＩＤを分割する。分配回路１２１は、端末ＩＤを複数個に分割する機能を有する。
【００４２】
信号処理部１２は、分割後の複数の送信情報を、分配回路１２１による分割後の複数の端末ＩＤごとに選択した拡散コードをそれぞれ用いて、拡散して連結することにより、送信信号を生成する。後述するように、受信装置２は、受信信号に用いられた複数の拡散コードを推定することにより、送信装置１において分割された複数の端末ＩＤをそれぞれ推定し、これらを連結することにより端末ＩＤを取得可能となる。また、分割後の、もとの端末ＩＤよりも短い系列に応じて拡散コードを選択することにより、受信装置２が拡散コードを推定する際の処理負荷が軽減される。
【００４３】
後に詳しく説明するように、受信装置２は、送信装置１の端末ＩＤを推定するために、送信装置１が拡散に用いる可能性がある拡散コードの候補の数の分だけ逆拡散処理を行う。例えば、端末ＩＤが１６ビットであり、送信装置１が分割することなく１６ビットの端末ＩＤに応じて拡散コードを選択する場合、受信装置２は２１６通りの逆拡散処理を行うことになる。この点、送信装置１が、端末ＩＤを分割して、もとの端末ＩＤよりも短い系列に応じて拡散コードを選択する場合、拡散コードの候補の数は２１６通りよりも少なくなるので、受信装置２での逆拡散処理の回数が削減されることとなる。
【００４４】
また、分配回路１２１は、分割後の長さが均等になるよう端末ＩＤを分割する。具体的には、分配回路１２１は、分割後の長さが互いに等しい、または差が１になるよう分割する。例えば、端末ＩＤが１６ビットであり３つに分割する場合、分配回路１２１は、１つ目の出力を１６ビットの内の上位６ビット、２つ目の出力を１６ビットの内の中位５ビット、３つ目の出力を１６ビットの内の下位５ビットとする。これにより、受信装置２での逆拡散処理の回数が最小化されるので、受信装置２の処理負荷がより軽減される。
【００４５】
また、分配回路１２１は、送信情報のフィールド（要素）の数を端末ＩＤの分割数とし、フィールドごとに拡散コードを用いて拡散する。例えば、図３に示した無線フレームは、３つのフィールドを有するため、分配回路１２１は、端末ＩＤを３つに分割する。これにより、受信装置２は、フィールド単位で逆拡散を行って、各フィールドに格納された情報を取得することが可能となる。
【００４６】
分配回路１２１により分割された端末ＩＤは、拡散コード選択部１２５Ａ、１２５Ｂ、１２５Ｃでの拡散コードの選択のために用いられる。なお、本明細書において、拡散コード選択部１２５Ａ、１２５Ｂ、および１２５Ｃを互いに区別する必要がない場合には、符号の末尾のアルファベットを省略することにより、これらを拡散コード選択部１２５と総称する。他の構成要素（デジタル変調部１２３、繰り返し部１２４、拡散コード選択部１２５、拡散部１２６、ＭＵＸ１２７など）についても同様とする。
【００４７】
図５に示すように、拡散コード選択部１２５は、入力された分割後の端末ＩＤに応じて拡散コードを選択する。拡散コード選択部１２５は、拡散コードとして、例えば、Ｇｏｌｄ符号、Ｗａｌｓｈ符号、ＰＮ符号の少なくともいずれかを用いてもよい。これらの符号はあくまで一例であり、他の任意の符号が用いられ得る。例えば、Ｇｏｌｄ符号では、初期値を与えることにより複数の異なる疑似ランダム系列を生成することが可能である。拡散コード選択部１２５は、入力された分割後の端末ＩＤをこの初期値として使用することにより、拡散コードを選択する。また、Ｗａｌｓｈ符号では、符号長に応じて複数の直交する拡散コードを得ることが可能である。
【００４８】
例えば、拡散コード選択部１２５Ａは、分配回路１２１による３つ目の出力（下位５ビット）の値に応じて、拡散コードを選択する。例えば、拡散コード選択部１２５Ａは、入力された５ビットの値に応じて、Ｗａｌｓｈ符号を選択する。拡散部１２６Ａは、拡散コード選択部１２５Ａにより選択されたＷａｌｓｈ符号を用いて、センサ情報フィールドの直接拡散を行う。なお、センサ情報は、誤り訂正回路１２２、デジタル変調部１２３Ａ、繰り返し部１２４Ａを通過して、拡散部１２６Ａに入力される。誤り訂正回路１２２、デジタル変調部１２３、繰り返し部１２４の構成は、図４を参照して説明した誤り訂正回路１２１０、デジタル変調部１２２０、繰り返し部１２３０とそれぞれ同様であるので、ここでの詳細な説明は省略する。なお、拡散コード選択部１２５Ａにより選択された拡散コードを、以下では拡散コードＡとも称する。
【００４９】
例えば、拡散コード選択部１２５Ｂは、分配回路１２１による２つ目の出力（中位５ビット）の値に応じて、拡散コードを選択する。例えば、拡散コード選択部１２５Ｂは、入力された５ビットの値に応じて、Ｗａｌｓｈ符号を選択する。拡散部１２６Ｂは、拡散コード選択部１２５Ｂにより選択されたＷａｌｓｈ符号を用いて、ＳＦＤフィールドの直接拡散を行う。なお、ＳＦＤは、デジタル変調部１２３Ｂ、繰り返し部１２４Ｂを通過して、拡散部１２６Ｂに入力される。なお、拡散コード選択部１２５Ｂにより選択された拡散コードを、以下では拡散コードＢとも称する。
【００５０】
例えば、拡散コード選択部１２５Ｃは、分配回路１２１による１つ目の出力（上位６ビット）の値に応じて、拡散コードを選択する。例えば、拡散コード選択部１２５Ｃは、入力された６ビットの値を初期値として、Ｇｏｌｄ符号を生成する。拡散部１２６Ｃは、拡散コード選択部１２５Ｃにより生成されたＧｏｌｄ符号を用いて、無線フレーム全体の直接拡散を行う。なお、無線フレームは、以下のようにして形成される。まず、拡散部１２６Ａから出力されたセンサ情報フィールド、および拡散部１２６Ｂから出力されたＳＦＤフィールドは、ＭＵＸ１２７Ａに入力される。Ｐｒｅａｍｂｌｅは、デジタル変調部１２３Ｃおよび繰り返し部１２４を通過してＭＵＸ１２７Ｂに入力される。そして、ＭＵＸ１２７Ａ、１２７Ｂによって、これらの各フィールドが連結されることにより、無線フレームが形成される。なお、ＭＵＸ１２７の構成は、図４を参照して説明したＭＵＸ１２０１、１２０２、１２０３と同様であるので、ここでの詳細な説明は省略する。なお、拡散コード選択部１２５Ｃにより選択された拡散コードを、以下では拡散コードＣとも称する。
【００５１】
ここで、信号処理部１２は、複数の拡散コードのうち一の拡散コードを用いて拡散された送信信号を、複数の拡散コードのうち他の拡散コードを用いてさらに拡散する。図５に示した例では、上記説明したように、拡散コードＡまたは拡散コードＢによって拡散された信号が、拡散コードＣによってさらに拡散される。信号処理部１２は、Ｐｒｅａｍｂｌｅのように受信装置２が優先的に取得すべきフィールドを階層構造の上位とする（より少ない回数拡散する）ことにより、受信装置２が当該フィールドを優先的に取得することを可能にする。
【００５２】
以上、本実施形態に係る信号処理部１２の内部構成を説明した。続いて、図６を参照して、本実施形態に係る送信装置１の動作処理を説明する。
【００５３】
（３−１−２．動作処理）
図６は、本実施形態に係る送信装置１において実行される信号処理の流れの一例を示すフローチャートである。図６に示すように、まず、ステップＳ１０２で、信号処理部１２は、送信情報を分割する。例えば、図５を参照して上記説明したように、信号処理部１２は、無線フレームを形成するフィールドに格納される情報ごとに分割する。
【００５４】
次いで、ステップＳ１０４で、信号処理部１２は、端末ＩＤを分割する。例えば、図５を参照して上記説明したように、分配回路１２１は、１６ビットの端末ＩＤを、上位６ビット、中位５ビット、下位５ビットに分割する。
【００５５】
次に、ステップＳ１０６で、信号処理部１２は、分割後の端末ＩＤに応じて拡散コードを選択する。例えば、図５を参照して上記説明したように、拡散コード選択部１２５は、分配回路１２１により分割された端末ＩＤの上位６ビット、中位５ビット、下位５ビットの値に応じて、拡散コードを選択する。
【００５６】
そして、ステップＳ１０８で、信号処理部１２は、選択した拡散コードを用いて送信信号を拡散する。例えば、図５を参照して上記説明したように、拡散部１２６Ａは、拡散コード選択部１２５Ｃにより選択された拡散コードによりセンサ情報を拡散する。また、拡散部１２６Ｂは、拡散コード選択部１２５Ｂにより選択された拡散コードによりＳＦＤを拡散する。また、拡散部１２６Ｃは、拡散コード選択部１２５Ｃにより選択された拡散コードにより無線フレーム全体を拡散する。
【００５７】
次いで、ステップＳ１１０で、通信部１１は、信号処理部１２により生成された無線フレームを、アナログ送信回路を用いて受信装置２に送信する。
【００５８】
以上、本実施形態に係る送信装置１の動作処理の一例を説明した。
【００５９】
［３−２．受信装置］
本実施形態に係る受信装置２の構成は、図１に示した通りである。以下では、図７〜図１１を参照して、本実施形態に係る受信装置２の信号処理部２２の内部構成を説明する。
【００６０】
（３−２−１．信号処理部２２の内部構成）
図７は、本実施形態に係る受信装置２の信号処理部２２の内部構成を説明するための図である。図７に示すように、本実施形態に係る信号処理部２２は、Ｐｒｅａｍｂｌｅ受信部２３、ＳＦＤ受信部２４、センサ情報受信部２５、および端末ＩＤ合成部２６を有する。信号処理部２２は、通信部２１のアナログ受信回路により受信された受信信号を入力として、受信信号に用いられた複数の拡散コードを推定し、推定した拡散コードに対応する系列を合成することにより、送信装置１の端末ＩＤを取得する。
【００６１】
詳しくは、Ｐｒｅａｍｂｌｅ受信部２３は、Ｐｒｅａｍｂｌｅを検出すると共に、Ｐｒｅａｍｂｌｅの拡散に用いられた拡散コードＣを推定する。ＳＦＤ受信部２４は、ＳＦＤを検出すると共に、ＳＦＤの拡散に用いられた拡散コードＢを推定する。センサ情報受信部２５は、センサ情報を取得すると共に、センサ情報の拡散に用いられた拡散コードＡを推定する。そして、端末ＩＤ合成部２６は、Ｐｒｅａｍｂｌｅ受信部２３、ＳＦＤ受信部２４、センサ情報受信部２５により推定された拡散コードＡ〜Ｃにそれぞれ対応する系列を合成することにより、送信装置１の端末ＩＤを取得する。以下、図８〜図１１を参照しながら、図７に示した信号処理部２２の各構成要素の内部構成を詳しく説明する。
【００６２】
・Ｐｒｅａｍｂｌｅ受信部２３
図８は、本実施形態に係る受信装置２のＰｒｅａｍｂｌｅ受信部２３の内部構成を説明するための図である。逆拡散器２３１−１〜２３１−ｎは、送信装置１がＰｒｅａｍｂｌｅの拡散に用いた拡散コードＣとしての可能性があるｎ種類の候補、拡散コードＣ（１）〜拡散コードＣ（ｎ）を用いた逆拡散処理を平行して行う。例えば、送信装置１が６ビットの値に基づいて拡散コードＣを選択する場合、ｎは２６＝６４となる。以下では、逆拡散器２３１−１〜２３１−ｎを相互に区別する必要がない場合、単に逆拡散器２３１と総称する。逆拡散器２３１は、逆拡散結果を拡散コード判定部２３２に出力する。ここで、図９を参照して、逆拡散器２３１の内部構成を説明する。
【００６３】
図９は、本実施形態に係る逆拡散器２３１の内部構成を説明するための図である。図９に示した逆拡散器は、一般的にスライディング相関器と呼ばれるものである。図９の上段は遅延回路であり、入力された信号を１サンプルずつ遅延させる機能を有する。図９の中段は、一例として拡散コード長を８とした場合の拡散コードの各ビットを示している。例えば、図中の８ｔｈは拡散コードの８ビット目であり、１ｓｔは拡散コードの１ビット目である。図９の下段は加算器である。アナログ受信回路により受信されたデータは、受信デジタル信号として逆拡散器２３１に入力され、遅延回路を１サンプルずつ遅延しながら通過する。逆拡散器２３１は、遅延回路の各段の出力と拡散コードの各ビットを乗算して、加算器により拡散コード長分加算したものを、逆拡散結果として出力する。ここで、逆拡散器２３１により用いられる拡散コードは、図８に示した拡散コードＣ（１）〜拡散コードＣ（ｎ）のように、外部から指定されるものである。以上、逆拡散器２３１の内部構成を説明した。以下、Ｐｒｅａｍｂｌｅ受信部２３の内部構成の説明に戻る。
【００６４】
拡散コード判定部２３２は、逆拡散結果に基づいて、ｎ種類の拡散コードの候補のうち受信信号との相関が最も高い候補を、Ｐｒｅａｍｂｌｅ部分の拡散に用いられた拡散コードとして判定（推定）する。そして、拡散コード判定部２３２は、相関が最も強いと判定した拡散コードの番号（１〜ｎ）を、選択回路２３３、ＳＦＤ受信部２４、センサ情報受信部２５、および端末ＩＤ合成部２６に出力する。選択回路２３３は、拡散コード判定部２３２により指示された番号の拡散コードを用いた逆拡散器２３１による逆拡散結果を選択して、ダウンサンプル部２３４に出力する。ダウンサンプル部２３４は、拡散コード長に応じてダウンサンプルを行う。例えば、拡散コード長が８の場合、ダウンサンプル部２３４は、８サンプル毎に１サンプルを選択する。デジタル復調部２３５は、ダウンサンプル部２３４によりダウンサンプルされた信号をデジタル復調して、Ｐｒｅａｍｂｌｅ検出部２３６に出力する。
【００６５】
Ｐｒｅａｍｂｌｅ検出部２３６は、デジタル復調部２３５により復調された系列が、固定のＰｒｅａｍｂｌｅパターンに一致するか否かを判定する機能を有する。信号処理部２２は、Ｐｒｅａｍｂｌｅ検出部２３６による判定結果に基づいて無線フレームの有無を検出して、周波数同期を取得する。ここで、Ｇｏｌｄ符号は、位相差がゼロである場合とズレがある場合とで自己相関の値に大きな差が生ずる特性があるため、ビットの同期がまだ取れていない時点でのＰｒｅａｍｂｌｅの検出に適している。従って、送信装置１がＰｒｅａｍｂｌｅの拡散にＧｏｌｄ符号を用いた場合、信号処理部２２は、精度よく周波数同期を取得することが可能となる。
【００６６】
・ＳＦＤ受信部２４
図１０は、本実施形態に係る受信装置２のＳＦＤ受信部２４の内部構成を説明するための図である。逆拡散器２４１−１〜２４１−ｎは、送信装置１がＳＦＤの拡散に用いた拡散コードＢとしての可能性があるｎ種類の候補、拡散コードＢ（１）〜拡散コードＢ（ｎ）を用いた逆拡散処理を平行して行う。
【００６７】
ここで、図５を参照して上記説明したように、ＳＦＤフィールドは、送信装置１において拡散コードＣおよび拡散コードＢにより直接拡散が行われている。そこで、ＳＦＤ受信部２４は、Ｐｒｅａｍｂｌｅ受信部２３から出力された拡散コードＣの番号に基づいて、拡散コードＣおよび拡散コードＢを合成して逆拡散を行う。具体的には、拡散コード合成部２４０−１〜２４０−ｎは、拡散コードＣと、送信装置１がＳＦＤの拡散に用いた拡散コードＢとしての可能性があるｎ種類の系列である、拡散コードＢ（１）〜拡散コードＢ（ｎ）とをそれぞれ合成する。なお、送信装置１が５ビットの値に基づいて拡散コードＢを選択する場合、ｎは２５＝３２となる。拡散コードの合成は、例えばコード長を４、拡散コードＣの各ビットを「C1st，C2nd，C3rd，C4th」、拡散コードＢの各ビットを「B1st，B2nd，B3rd，B4th」とした場合、「C1st×B1st，C2nd×B2nd，C3rd×B3rd，C4th×B4th」とすることにより行われる。以下では、逆拡散器２４１−１〜２４１−ｎを相互に区別する必要がない場合、単に逆拡散器２４１と総称する。他の構成要素（拡散コード合成部２４０など）についても同様とする。
【００６８】
逆拡散器２４１の構成は、図９を参照して上記説明した逆拡散器２３１の構成と同様であるため、ここでの詳細な説明は省略する。逆拡散器２４１は、拡散コード合成部２４０から出力された拡散コードをそれぞれ用いて逆拡散を行い、逆拡散結果を出力する。
【００６９】
拡散コード判定部２４２は、逆拡散結果に基づいて、ｎ種類の拡散コードの候補のうち受信信号との相関が最も高い候補を、ＳＦＤ部分の拡散に用いられた拡散コードとして判定する。そして、拡散コード判定部２４２は、相関が最も強いと判定した拡散コードの番号（１〜ｎ）を、選択回路２４３、および端末ＩＤ合成部２６に出力する。選択回路２４３は、拡散コード判定部２４２により指示された番号の拡散コードを用いた逆拡散器２４１による逆拡散結果を選択して、ダウンサンプル部２４４に出力する。ダウンサンプル部２４４は、拡散コード長に応じてダウンサンプルを行う。デジタル復調部２４５は、ダウンサンプル部２４４によりダウンサンプルされた信号をデジタル復調して、ＳＦＤ検出部２４６に出力する。
【００７０】
ＳＦＤ検出部２４６は、デジタル復調部２４５により復調された系列が、固定のＳＦＤパターンに一致するか否かを判定する機能を有する。信号処理部２２は、ＳＦＤ検出部２４６による判定結果に基づいてセンサ情報を受信するタイミングを判断して、センサ情報受信部２５を起動するトリガをかける。ここで、Ｗａｌｓｈ符号は、ビットの同期がとれている場合に符号間の相互相関（干渉）が０になるため、Ｐｒｅａｍｂｌｅの検出によりビットの同期がとれた後の拡散コードの推定に適している。従って、送信装置１がＳＦＤの拡散にＷａｌｓｈ符号を用いた場合、信号処理部２２は、精度よくＳＦＤを検出して適切なタイミングでセンサ情報受信部２５を起動するトリガをかけることができる。
【００７１】
・センサ情報受信部２５
図１１は、本実施形態に係る受信装置２のセンサ情報受信部２５の内部構成を説明するための図である。逆拡散器２５１−１〜２５１−ｎは、送信装置１がセンサ情報の拡散に用いた拡散コードＡとしての可能性があるｎ種類の候補、拡散コードＡ（１）〜拡散コードＡ（ｎ）を用いた逆拡散処理を平行して行う。
【００７２】
ここで、図５を参照して上記説明したように、センサ情報フィールドは、送信装置１において拡散コードＣおよび拡散コードＡにより直接拡散が行われている。そこで、センサ情報受信部２５は、Ｐｒｅａｍｂｌｅ受信部２３から出力された拡散コードＣの番号に基づいて、拡散コードＣおよび拡散コードＡを合成して逆拡散を行う。具体的には、拡散コード合成部２５０−１〜２５０−ｎは、拡散コードＣと、送信装置１がセンサ情報の拡散に用いた拡散コードＡとしての可能性があるｎ種類の系列である、拡散コードＡ（１）〜拡散コードＡ（ｎ）とをそれぞれ合成する。なお、送信装置１が５ビットの値に基づいて拡散コードＡを選択する場合、ｎは２５＝３２となる。拡散コードの合成は、例えばコード長を４、拡散コードＣの各ビットを「C1st，C2nd，C3rd，C4th」、拡散コードＡの各ビットを「A1st，A2nd，A3rd，A4th」とした場合、「C1st×A1st，C2nd×A2nd，C3rd×A3rd，C4th×A4th」とすることにより行われる。以下では、逆拡散器２５１−１〜２５１−ｎを相互に区別する必要がない場合、単に逆拡散器２５１と総称する。他の構成要素（拡散コード合成部２５０など）についても同様とする。
【００７３】
逆拡散器２５１の構成は、図９を参照して上記説明した逆拡散器２３１の構成と同様であるため、ここでの詳細な説明は省略する。逆拡散器２５１は、拡散コード合成部２５０から出力された拡散コードをそれぞれ用いて逆拡散を行い、逆拡散結果を出力する。
【００７４】
拡散コード判定部２５２は、逆拡散結果に基づいて、ｎ種類の拡散コードの候補のうち受信信号との相関が最も高い候補を、センサ情報部分の拡散に用いられた拡散コードとして判定する。そして、拡散コード判定部２５２は、相関が最も強いと判定した拡散コードの番号（１〜ｎ）を、選択回路２５３、および端末ＩＤ合成部２６に出力する。選択回路２５３は、拡散コード判定部２５２により指示された番号の拡散コードを用いた逆拡散器２５１による逆拡散結果を選択して、ダウンサンプル部２５４に出力する。ダウンサンプル部２５４は、拡散コード長に応じてダウンサンプルを行う。デジタル復調部２５５は、ダウンサンプル部２５４によりダウンサンプルされた信号をデジタル復調して、誤り訂正回路２５６に出力する。誤り訂正回路２５６は、訂正符号を用いてデータを復号化して、センサ情報を出力する。
【００７５】
・端末ＩＤ合成部２６
端末ＩＤ合成部２６は、Ｐｒｅａｍｂｌｅ受信部２３、ＳＦＤ受信部２４、センサ情報受信部２５から出力された拡散コードの番号に基づいて、拡散コードに対応する系列を合成することにより端末ＩＤを再構築する機能を有する。端末ＩＤ合成部２６は、図５に示した拡散コード選択部１２５Ａ〜１２５Ｃにおける入力系列（分割された端末ＩＤ）と出力系列（拡散コード）との対応関係を予め記憶しているものとする。端末ＩＤ合成部２６は、この対応関係に基づいて、分割された端末ＩＤをそれぞれ復元して、これらを連結することにより端末ＩＤを再構築する。
【００７６】
以上、本実施形態に係る信号処理部２２の内部構成を説明した。続いて、図１２を参照して、本実施形態に係る受信装置２の動作処理を説明する。
【００７７】
（３−２−２．動作処理）
図１２は、本実施形態に係る受信装置２において実行される信号処理の流れの一例を示すフローチャートである。図１２に示すように、まず、ステップＳ２０２で、通信部１１は、信号を受信する。
【００７８】
次いで、ステップＳ２０４で、信号処理部１２は、受信信号に用いられた拡散コードを推定する。例えば、図７〜図１１を参照して上記説明したように、信号処理部１２は、無線フレームの各フレームの拡散に用いられた拡散コードを、拡散コードの候補との相関に応じて推定する。
【００７９】
次に、ステップＳ２０６で、信号処理部１２は、上記ステップＳ２０４において推定された拡散コードを用いて、無線フレームの各フィールドに格納された情報を取得する。例えば、図７〜図１１を参照して上記説明したように、Ｐｒｅａｍｂｌｅ受信部２３およびＳＦＤ受信部２４は、ＰｒｅａｍｂｌｅおよびＳＦＤをそれぞれ検出し、センサ情報受信部２５はセンサ情報を取得する。
【００８０】
次いで、ステップＳ２０８で、上記ステップＳ２０４において推定された拡散コードに対応する系列を合成することにより、端末ＩＤを取得する。例えば、図７〜図１１を参照して上記説明したように、端末ＩＤ合成部２６は、Ｐｒｅａｍｂｌｅ受信部２３、ＳＦＤ受信部２４、およびセンサ情報受信部２５により推定された拡散コードＡ〜Ｃにそれぞれ対応する系列を連結することで、端末ＩＤを再構築する。
【００８１】
以上、本実施形態に係る受信装置２の動作処理の一例を説明した。
【００８２】
＜４．第２の実施形態＞
本実施形態は、送信装置１が、分割した端末ＩＤに応じて、拡散コードを選択する代わりにＳＦＤのパターンを選択する形態である。
【００８３】
［４−１．送信装置］
本実施形態に係る送信装置１の構成は、図１に示した通りである。以下では、図１３を参照して、本実施形態に係る送信装置１の信号処理部１２の内部構成を説明する。
【００８４】
図１３は、本実施形態に係る送信装置１の信号処理部１２の内部構成を説明するための図である。図１３に示すように、本実施形態に係る信号処理部１２は、ＳＦＤパターン選択部１２８を有する点で、図５を参照して上記説明した第１の実施形態に係る信号処理部１２と相違する。
【００８５】
ＳＦＤパターン選択部１２８は、分配回路１２１により分割された端末ＩＤに応じて、ＳＦＤパターンを選択する。図５を参照して上記説明した第１の実施形態では、ＳＦＤフィールドには、すべての送信装置１において共通の固定のパターンが用いられる。本実施形態では、ＳＦＤパターン選択部１２８は、送信装置１の端末ＩＤに応じて、送信装置１ごとに固定のパターンを、ＳＦＤパターンとして選択する。具体的には、ＳＦＤパターン選択部１２８は、図１３に示すように、分配回路１２１による２つ目の出力（中位５ビット）の値に応じて、ＳＦＤパターンを選択する。受信装置２は、ＳＦＤパターンを推定して、推定結果に基づいて送信装置１の端末ＩＤを取得することが可能となる。
【００８６】
センサ情報は、誤り訂正回路１２２、デジタル変調部１２３Ａ、繰り返し部１２４Ａ、およびを通過し、拡散コード選択部１２５Ａにより選択された拡散コードＡを用いて拡散部１２６Ａにより拡散され、ＭＵＸ１２７Ｄに出力される。
【００８７】
ＳＦＤパターン選択部１２８により選択されたＳＦＤパターン、およびＰｒｅａｍｂｌｅは、ＭＵＸ１２７Ｃに入力され、デジタル変調部１２３Ｃ、繰り返し部１２４Ｃを通過してＭＵＸ１２７Ｄに入力される。そして、ＭＵＸ１２７Ｄによって、これらの各フィールドが連結されることにより、無線フレームが形成される。その後、拡散部１２６Ｃは、拡散コード選択部１２５Ｃにより選択された拡散コードＣを用いて無線フレーム全体を拡散して、アナログ送信回路に出力する。
【００８８】
以上、本実施形態に係る送信装置１の信号処理部１２の内部構成を説明した。
【００８９】
［４−２．受信装置］
本実施形態に係る受信装置２の構成は、図１に示した通りである。本実施形態に係る受信装置２の信号処理部２２は、受信信号に用いられたＳＦＤパターンの推定結果に基づいて、送信装置１の端末ＩＤを取得する機能を有する。信号処理部２２の内部構成は、図７に示した通りであるが、ＳＦＤ受信部２４の内部構成が図１０を参照して上記説明した第１の実施例に係る構成と異なる。そこで、図１４を参照して、本実施形態に係る受信装置２のＳＦＤ受信部２４の内部構成を説明する。
【００９０】
図１４は、本実施形態に係る受信装置２のＳＦＤ受信部２４の内部構成を説明するための図である。拡散コード生成部２４００は、拡散コードの番号に対応する拡散コードを生成する機能を有する。具体的には、拡散コード生成部２４００は、Ｐｒｅａｍｂｌｅ受信部２３から出力された拡散コードＣの番号に対応する拡散コードＣを生成して、逆拡散器２４１に出力する。逆拡散器２４１は、拡散コード生成部２４００により生成された拡散コードを用いて、アナログ受信回路により受信された受信信号を逆拡散し、逆拡散した信号をダウンサンプル部２４４に出力する。ダウンサンプル部２４４は、拡散コード長に応じてダウンサンプルを行う。デジタル復調部２４５は、ダウンサンプル部２４４によりダウンサンプルされた信号をデジタル復調して、ＳＦＤパターン相関器２４７−１〜２４７−ｎに出力する。以下では、ＳＦＤパターン相関器２４７−１〜２４７−ｎを相互に区別する必要がない場合、単にＳＦＤパターン相関器２４７と総称する。
【００９１】
ＳＦＤパターン相関器２４７の構成は、図９を参照して上記説明した逆拡散器２３１の構成と同様である。図９に示した逆拡散器２３１が、図中中段の拡散コードの代わりにＳＦＤパターンを用いることで、ＳＦＤパターン相関器２４７として動作する。詳しくは、ＳＦＤパターン相関器２４７は、送信装置１がＳＦＤパターンとして用いた可能性があるｎ種類の候補であるＳＦＤパターン（１）〜ＳＦＤパターン（ｎ）と、デジタル復調部２４５からの出力系列との相関の算出を平行して行う。なお、送信装置１が５ビットの値に基づいてＳＦＤパターンを選択する場合、ｎは２５＝３２となる。ＳＦＤパターン相関器２４７は、ＳＦＤパターン（１）〜ＳＦＤパターン（ｎ）をそれぞれ用いて相関を算出し、算出結果を出力する。
【００９２】
ＳＦＤパターン判定部２４８は、ＳＦＤパターン相関器２４７による算出結果に基づいて、ｎ種類のＳＦＤパターンの候補のうち受信信号との相関が最も高い候補を、ＳＦＤパターンとして判定（推定）する。そして、ＳＦＤパターン判定部２４８は、相関が最も強いと判定したＳＦＤパターンの番号（１〜ｎ）を、ＳＦＤ選択回路２４９、および端末ＩＤ合成部２６に出力する。ＳＦＤ選択回路２４９は、指示された番号のＳＦＤパターンを用いたＳＦＤパターン相関器２４７による相関結果に基づいてセンサ情報を受信するタイミングを判断して、センサ情報受信部２５を起動するトリガをかける。
【００９３】
なお、端末ＩＤ合成部２６は、Ｐｒｅａｍｂｌｅ受信部２３、センサ情報受信部２５から出力された拡散コードの番号、およびＳＦＤ受信部２４から出力されたＳＦＤパターンの番号に基づいて、対応する系列を合成することにより端末ＩＤを再構築する。本実施形態にかかる端末ＩＤ合成部２６は、図１３に示したＳＦＤパターン選択部１２８における入力系列（分割された端末ＩＤ）と出力系列（ＳＦＤパターン）との対応関係を予め記憶しているものとする。端末ＩＤ合成部２６は、この対応関係に基づいて、ＳＦＤパターンから分割された端末ＩＤを復元して、端末ＩＤを再構築する。
【００９４】
以上、本実施形態に係る受信装置２のＳＦＤ受信部２４の内部構成を説明した。
【００９５】
＜５．まとめ＞
以上説明したように、本開示の一実施形態に係る無線通信システムによれば、送信装置１がより低い消費電力で無線送信を行うことが可能である。具体的には、送信装置１は、端末ＩＤに応じて選択した拡散コードを用いて、端末ＩＤを省略した無線フレームを拡散した送信信号を生成し、受信装置２に送信する。送信装置１は、端末ＩＤを省略した分だけ送信時間を短くすることができ、低消費電力化を実現することが可能となる。
【００９６】
また、受信装置２は、受信された受信信号に用いられた拡散コードを推定し、その推定結果に基づいて送信装置１の端末ＩＤを取得する。これにより、無線フレームから端末ＩＤが省略された場合であっても、センサ情報の送信元を特定することが可能となり、送信装置１に無線センサ端末としての用を成さしめることが可能となる。
【００９７】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００９８】
例えば、上記実施形態では、端末ＩＤが変化しない固定された値であることを理由として、端末ＩＤを省略しつつ、端末ＩＤに応じた拡散コードを用いて拡散を行う例を説明したが、本技術はかかる例に限定されない。送信装置１は、端末ＩＤ以外の、変化しない又は変化が少ないフィールドの値に応じた拡散コードを用いて拡散を行ってもよい。ところで、温度計等の値域が限定されたセンサ情報の場合など、センサ情報のうち一部のビットに変化が少ない場合が考えられる。このような場合、送信装置１は、この変化が少ない部分を省略しつつ、その部分に応じた拡散コードを用いて拡散を行ってもよい。また、送信装置１は、センサ情報等の値が変化する任意のフィールドを省略しつつ、省略したフィールドの値に応じた拡散コードを用いて拡散を行ってもよい。いずれの場合であっても、端末ＩＤを省略する場合と同様に、送信装置１はより低い消費電力で無線送信を行うことが可能となる。
【００９９】
また、上記第１の実施形態では、無線フレームのフィールドごとに拡散を行ったが、本技術はかかる例に限定されない。例えば、送信装置１は、複数のフィールドをまとめてひとつの拡散コードで拡散してもよいし、フィールドを分割してそれぞれ拡散してもよい。
【０１００】
また、上記第２の実施形態では、端末ＩＤに応じてＳＦＤパターンを選択したが、本技術はかかる例に限定されない。送信装置１は、ＳＦＤパターン以外の、例えばＰｒｅａｍｂｌｅ等の任意のフィールドに格納される固定のパターンを、端末ＩＤに応じて選択してもよい。
【０１０１】
また、上記実施形態では、送信装置１が採用する無線フレームとして、図３を一例として挙げて説明したが、本技術はかかる例に限定されない。送信装置１は、IEEE802.11等の公知のフレームフォーマットを無線フレームとして採用してもよいし、他の任意のフォーマットを採用してもよい。
【０１０２】
なお、本明細書において説明した各装置による一連の処理は、ソフトウェア、ハードウェア、及びソフトウェアとハードウェアとの組合せのいずれを用いて実現されてもよい。ソフトウェアを構成するプログラムは、例えば、各装置の内部又は外部に設けられる記憶媒体（非一時的な媒体：non-transitory  media）に予め格納される。そして、各プログラムは、例えば、実行時にＲＡＭに読み込まれ、ＣＰＵなどのプロセッサにより実行される。
【０１０３】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１０４】
なお、以下のような構成も本開示の技術的範囲に属する。
（１）
送信装置から受信装置への送信信号を無線通信により送信する通信部と、
前記受信装置が前記送信信号に用いられた拡散コードの推定結果に基づいて前記送信装置の識別情報を取得することを可能にするために、送信情報を前記識別情報に応じて選択した前記拡散コードを用いて拡散した前記送信信号を生成する信号処理部と、
を備える送信装置。
（２）
前記信号処理部は、前記識別情報および前記送信情報を分割し、分割後の複数の前記送信情報を、分割後の複数の前記識別情報ごとに選択した前記拡散コードをそれぞれ用いて拡散して連結する、前記（１）に記載の送信装置。
（３）
前記信号処理部は、複数の拡散コードのうち一の前記拡散コードを用いて拡散された前記送信信号を、前記複数の拡散コードのうち他の前記拡散コードを用いてさらに拡散する、前記（２）に記載の送信装置。
（４）
前記信号処理部は、前記送信情報の要素の数を前記識別情報の分割数とし、前記要素ごとに前記拡散コードを用いて拡散する、前記（２）または（３）に記載の送信装置。
（５）
前記信号処理部は、分割後の長さが均等になるよう前記識別情報を分割する、前記（２）〜（４）のいずれか一項に記載の送信装置。
（６）
前記送信情報は、前記送信装置ごとに固定のパターンを含み、
前記信号処理部は、前記受信装置が前記パターンの推定結果に基づいて前記識別情報を取得することを可能にするために、前記識別情報に応じて前記パターンを選択する、前記（１）〜（５）のいずれか一項に記載の送信装置。
（７）
前記パターンは、ＳＦＤ（Sync  Frame  Detect）フィールドに格納される、前記（６）に記載の送信装置。
（８）
前記信号処理部は、前記拡散コードとして、Ｇｏｌｄ符号、Ｗａｌｓｈ符号、ＰＮ符号の少なくともいずれかを用いる、前記（１）〜（７）のいずれか一項に記載の送信装置。
（９）
送信装置から送信された信号を無線通信により受信する通信部と、
前記通信部により受信された受信信号に用いられた拡散コードの推定結果に基づいて前記送信装置の識別情報を取得する信号処理部と、
を備える受信装置。
（１０）
前記信号処理部は、前記受信信号に用いられた複数の前記拡散コードを推定し、推定した前記拡散コードに対応する系列を合成することにより前記識別情報を取得する、前記（９）に記載の受信装置。
（１１）
前記信号処理部は、前記受信信号に用いられた前記送信装置ごとに固定のパターンの推定結果に基づいて前記識別情報を取得する、前記（１０）に記載の受信装置。
（１２）
前記信号処理部は、前記拡散コードの候補のうち最も前記受信信号との相関が最も高い前記候補を、前記受信信号に用いられた前記拡散コードとして推定する、前記（９）〜（１１）のいずれか一項に記載の受信装置。
（１３）
送信装置から受信装置への送信信号を無線通信により送信することと、
前記受信装置が前記送信信号に用いられた拡散コードの推定結果に基づいて前記送信装置の識別情報を取得することを可能にするために、送信情報を前記識別情報に応じて選択した前記拡散コードを用いて拡散した前記送信信号を電子回路により生成することと、
を含む情報処理方法。
（１４）
送信装置から送信された信号を無線通信により受信することと、
受信された受信信号に用いられた拡散コードの推定結果に基づいて前記送信装置の識別情報を電子回路により取得することと、
を含む情報処理方法。
【符号の説明】
【０１０５】
１    送信装置
１１    通信部
１２    信号処理部
１２１    分配回路
１２２    誤り訂正回路
１２３    デジタル変調部
１２４    繰り返し部
１２５    拡散コード選択部
１２６    拡散部
１２７    ＭＵＸ
１２８    ＳＦＤパターン選択部
２    受信装置
２１    通信部
２２    信号処理部
２３    Ｐｒｅａｍｂｌｅ受信部
２４    ＳＦＤ受信部
２５    センサ情報受信部
２６    端末ＩＤ合成部
２４０、２５０    拡散コード合成部
２４００    拡散コード生成部
２３１、２４１、２５１    逆拡散器
２３２、２４２、２５２    拡散コード判定部
２３３、２４３、２５３    選択回路
２３４、２４４、２５４    ダウンサンプル部
２３５、２４５、２５５    デジタル復調部
２３６    Ｐｒｅａｍｂｌｅ検出部
２４６    ＳＦＤ検出部
２４７    ＳＦＤパターン相関器
２４８    ＳＦＤパターン判定部
２４９    ＳＦＤ選択回路
２５６    誤り訂正回路
【図１】
2015129375.tif 000004
【図２】
2015129375.tif 000005
【図３】
2015129375.tif 000006
【図４】
2015129375.tif 000007
【図５】
2015129375.tif 000008
【図６】
2015129375.tif 000009
【図７】
2015129375.tif 000010
【図８】
2015129375.tif 000011
【図９】
2015129375.tif 000012
【図１０】
2015129375.tif 000013
【図１１】
2015129375.tif 000014
【図１２】
2015129375.tif 000015
【図１３】
2015129375.tif 000016
【図１４】
2015129375.tif 000017
【国際調査報告】
2015129375.tif 000018
2015129375.tif 000019
2015129375.tif 000020
2015129375.tif 000021